(57)【要約】      （修正有）【課題】カレンダーでありながらコインを貯金することができるコイン貯金カレンダーを提供する。【解決手段】コイン貯金カレンダー１０のカレンダープレート収容ケース１２の正面板１４には大きく切り欠かれた窓部２８が形成されている。カレンダープレート収容ケース１２にはカレンダープレート抜き差し部２６を介してカレンダープレート収容ケース１２に１月から１２月までのマンスリーカレンダープレート３０が１２枚抜き差し可能に収容されている。マンスリーカレンダープレート３０の正面３０Ａには月名が記載されると共に「ＳＵＮＤＡＹ」〜「ＳＡＴＵＲＤＡＹ」の曜日が順に並んで記載されている。また、曜日の下方には日付の数字が記載されている。この日付の数字の下部近傍には日付に対応してコイン嵌入穴４０が形成されている。【選択図】図１
0003125707.tif 000002
【実用新案登録請求の範囲】
【請求項１】
カレンダープレート収容ケースと、このカレンダープレート収容ケースに抜き差し可能に収容されるマンスリーカレンダープレートと、このマンスリーカレンダープレートに記載された月名及び曜日と、前記マンスリーカレンダープレートに記載された日付と、この日付に対応して前記マンスリーカレンダープレートに窪んで形成されコイン嵌入穴と、を有してなることを特徴とするコイン貯金カレンダー。
【請求項２】
正面板と背面板と第１側面板と第２側面板と底面板とから形成されたカレンダープレート収容ケースと、このカレンダープレート収容ケースの天面に開口形成されたカレンダープレート抜き差し部と、前記正面板に大きく形成された窓部と、前記カレンダープレート収容ケースにカレンダープレート抜き差し部を介して抜き差し可能に収容されるマンスリーカレンダープレートと、このマンスリーカレンダープレートの正面に記載された月名及び曜日と、前記マンスリーカレンダープレートに記載された日付と、この日付に対応して前記マンスリーカレンダープレートに窪んで形成されると共にコインを嵌入できるコイン嵌入穴と、を有してなることを特徴とするコイン貯金カレンダー。
【請求項３】
前記コイン嵌入穴を５００円コインが嵌入される大きさの５００円コイン嵌入穴と１００円コインが嵌入される大きさの１００円コイン嵌入穴で構成したことを特徴とする請求項１または請求項２記載のコイン貯金カレンダー。
【考案の詳細な説明】
【技術分野】
【０００１】
本考案は、カレンダーに関し、詳しくは曜日や日付等が記載されたマンスリーカレンダープレートにコインを嵌めるコイン嵌入穴が形成されており、前記コイン嵌入穴にコインを嵌めることによりコインで貯金することもできるコイン貯金カレンダーに関する。
【背景技術】
【０００２】
従来より、種々のタイプのカレンダーが提案されているが、従来のカレンダーは今日の曜日や日付を知るというカレンダーの本来の役目を果たすだけのものがほとんどであり、コインの貯金を行うことができるカレンダーは提案されていない。
【考案の開示】
【考案が解決しようとする課題】
【０００３】
本考案は、上記事実に鑑みなされたものでありカレンダーでありながらコインを貯金することができるコイン貯金カレンダーを提供するものである。
【課題を解決するための手段】
【０００４】
請求項１の考案は、カレンダープレート収容ケースと、このカレンダープレート収容ケースに抜き差し可能に収容されるマンスリーカレンダープレートと、このマンスリーカレンダープレートに記載された月名及び曜日と、前記マンスリーカレンダープレートに記載された日付と、この日付に対応して前記マンスリーカレンダープレートに窪んで形成されコイン嵌入穴と、を有してなることを特徴としている。
請求項２の考案は、正面板と背面板と第１側面板と第２側面板と底面板とから形成されたカレンダープレート収容ケースと、このカレンダープレート収容ケースの天面に開口形成されたカレンダープレート抜き差し部と、前記正面板に大きく形成された窓部と、前記カレンダープレート収容ケースにカレンダープレート抜き差し部を介して抜き差し可能に収容されるマンスリーカレンダープレートと、このマンスリーカレンダープレートの正面に記載された月名及び曜日と、前記マンスリーカレンダープレートに記載された日付と、この日付に対応して前記マンスリーカレンダープレートに窪んで形成されると共にコインを嵌入できるコイン嵌入穴と、を有してなることを特徴としている。
請求項３の考案は、前記コイン嵌入穴を５００円コインが嵌入される大きさの５００円コイン嵌入穴と１００円コインが嵌入される大きさの１００円コイン嵌入穴で構成したことを特徴としている。
【考案の効果】
【０００５】
請求項のコイン貯金カレンダーは、カレンダーとして使用することができると共にコインの貯金も行うことができるという優れた効果を有する。
【考案を実施するための最良の形態】
【０００６】
考案を実施するために最良の形態の例として以下のような実施例を示す。
【実施例１】
【０００７】
図１〜図３には本考案のコイン貯金カレンダーの一実施例が示されている。
図１に示されるように、コイン貯金カレンダー１０のカレンダープレート収容ケース１２は正面板１４、背面板１６、第１側面板２０、第２側面板２２、底面板２４から形成されている。
このカレンダープレート収容ケース１２の天面は開口されており、カレンダープレート抜き差し部２６とされている。また、前記カレンダープレート収容ケース１２の正面板１４には大きく切り欠かれた窓部２８が形成されている。
前記カレンダープレート収容ケース１２にはカレンダープレート抜き差し部２６を介してカレンダープレート収容ケース１２に月名や曜日、日付等が記載された１月から１２月までのマンスリーカレンダープレート３０が１２枚抜き差し可能に収容されている。
前記カレンダープレート収容ケース１２の正面板１４には窓部２８が大きく形成されているので、一番手前側に収容されたマンスリーカレンダープレート３０は前記窓部２８を介して外部からよく見えるようになっている。
図２に示されるように、前記マンスリーカレンダープレート３０の正面３０Ａには月名３２が記載されると共に「ＳＵＮＤＡＹ」〜「ＳＡＴＵＲＤＡＹ」の曜日３４が順に並んで記載されている。
また、曜日３４の下方には日付３６の数字が記載されている。この日付３６の数字の下部近傍には日付３６に対応してコイン嵌入穴４０が窪んで形成されている。このコイン嵌入穴４０の底面は予定やスケージュール等を書き込めるメモ欄４１が形成されている。
なお、この実施例では前記コイン嵌入穴４０は５００円コイン（図示せず）が嵌入する直径に形成された５００円コイン嵌入穴４０Ａと１００円コイン（図示せず）が嵌入する直径に形成された１００円コイン嵌入穴４０Ｂとから構成されている。
また、この実施例では前記５００円コイン嵌入穴４０Ａは「ＳＵＮＤＡＹ」、「ＴＵＥＳＤＡＹ」、「ＴＨＵＲＳＤＡＹ」、「ＳＡＴＵＲＤＡＹ」と対応し、前記１００円コインコイン嵌入穴４０Ｂは「ＭＯＮＤＡＹ」、「ＷＥＤＮＥＳＤＡＹ」、「ＦＲＩＤＡＹ」と対応している。
図３に示されるように、この実施例では月の１日に対応して形成されたコイン嵌入穴４０にはコインを嵌入しない休貯日としている。
【０００８】
実施例のコイン貯金カレンダー１０の作用を説明する。
図１に示されるように、前記コイン貯金カレンダー１０のカレンダープレート収容ケース１２には手前側から奥側に向って順番に１月から１２月までのマンスリーカレンダープレート３０が１２枚並んだ状態で収容されている。
年の初はカレンダープレート収容ケース１２の一番手前側に１月のマンスリーカレンダープレート３０が位置している。一番手前側に位置している１月のマンスリーカレンダープレート３０はカレンダープレート収容ケース１２の正面板１４に大きく切欠き形成された窓部２８を介してよく見ることができるようになっている。
従って、前記窓部２８を介して１月のマンスリーカレンダープレー３０を見ることができるのでカレンダーとしての役目を果たすことができる。
また、前記マンスリーカレンダープレート３０にはコイン嵌入穴４０が形成されている。従って、一日が終わる頃にその日の日付３６に対応するコイン嵌入穴４０に５００円コイン又は１００円コインを嵌入する。
これにより日にちが経過する毎にコイン嵌入穴４０に５００円コイン又は１００円コインが嵌められていくので、マンスリーカレンダープレート３０を一見するだけで今日の曜日３４や日付３６を一目で知ることができる。
また、日にちが経過する毎に前記コイン嵌入穴４０に５００円コイン又は１００円コインが嵌められていくので、５００円コインや１００円コインを確実に貯金することができる。
なお、コインが嵌められる前においては前記コイン嵌入穴４０のメモ欄４１に予定やスケージュール等を書き込めるので便利である。
また、１月が終わったら１月のマンスリーカレンダープレート３０をカレンダープレート抜き差し部２６を介してカレンダープレート収容ケース１２から抜き取って、カレンダープレート抜き差し部２６から１２月のマンスリーカレンダープレート３０の奥側に差し入れる。
従って、２月になると２月のマンスリーカレンダープレート３０をカレンダープレート収容ケース１２の正面板１４の窓部２８を介して見ることができ、１月と同様にしてカレンダーとして使用すると共にコインを貯金することができる。
【０００９】
なお、実施例では前記マンスリーカレンダープレート３０には５００円コインが嵌入する大きさの５００円コイン嵌入穴４０Ａと１００円コインが嵌入する大きさの１００円コイン嵌入穴４０Ｂを形成したが、前記マンスリーカレンダープレート３０に形成するコイン嵌入穴は他の価格のコインが嵌入する大きさのコイン嵌入穴を形成してもよいことは勿論である。
【図面の簡単な説明】
【００１０】
【図１】実施例のコイン貯金カレンダーの全体斜視図である。
【図２】実施例のコイン貯金カレンダーのマンスリーカレンダープレートの正面図である。
【図３】実施例のコイン貯金カレンダーのマンスリーカレンダープレートの一部拡大正面図である。
【符号の説明】
【００１１】
１０    コイン貯金カレンダー
１２    カレンダープレート収容ケース
１４    正面板
１６    背面板
２０    第１側面板
２２    第２側面板
２４    底面板
２６    カレンダープレート抜き差し部
２８    開口部
３０    マンスリーカレンダープレート
３２    月名
３４    曜日
３６    日付
４０    コイン嵌入穴
【図１】
0003125707.tif 000003
【図２】
0003125707.tif 000004
【図３】
0003125707.tif 000005